(57)【要約】【課題】安価かつ簡単に、後部灯を点検整備用として使用することができるホイール式作業機械を提供する。【解決手段】ホイール式油圧ショベルは、車輪３で走行する車体１と、車体１の後部に形成されたポンプ室２１及び熱交換装置上流室２２と、車体１の後端かつポンプ室２１の後側に配置され、車体１の後方に向けられた尾灯１８Ａと、車体１の後端かつ熱交換装置上流室２２の後側に配置され、車体１の後方に向けられた尾灯１８Ｂとを備える。また、尾灯１８Ａを回動可能に保持するヒンジ３７が設けられており、このヒンジ３７は、尾灯１８Ａを車体１の後方に向けられた状態とポンプ室２１内に向けられた状態で保持可能である。また、尾灯１８Ｂを回動可能に保持するヒンジ３７が設けられており、このヒンジ３７は、尾灯１８Ｂを車体１の後方に向けられた状態と熱交換装置上流室２２内に向けられた状態で保持可能である。【選択図】図６
2018172882.tif 000002
【特許請求の範囲】
【請求項１】
車輪で走行する車体と、前記車体の後部に形成された機械室と、前記車体の後端かつ前記機械室の後側に配置され、前記車体の後方に向けられた少なくとも１つの後部灯とを備えたホイール式作業機械において、
前記後部灯は、前記車体の後部に、後方に向けられた状態で着脱可能に取付けられており、
前記後部灯には、前記後部灯を回動可能に保持する回動機構が設けられており、
前記回動機構は、前記後部灯を前記車体の後方に向けられた状態と前記機械室内に向けられた状態で保持可能であることを特徴とするホイール式作業機械。
【請求項２】
請求項１に記載のホイール式作業機械において、
前記機械室は、前記車体の幅方向中央に位置し、エンジンを収容するエンジン室と、前記車体の幅方向一方側に位置し、前記エンジンによって駆動される油圧ポンプを収容するポンプ室と、前記車体の幅方向他方側かつ熱交換装置の冷却風流れ方向の上流側に位置する熱交換装置上流室とで構成されており、
前記後部灯は、前記ポンプ室の後側に位置するカウンタウエイトの幅方向一方側の部分に配置された第１の後部灯と、前記熱交換装置上流室の後側に位置する前記カウンタウエイトの幅方向他方側の部分に配置された第２の後部灯とを含んでおり、
前記回動機構として、前記第１の後部灯を回動可能に保持する回動機構と前記第２の後部灯を回動可能に保持する回動機構のうちの少なくとも一方が設けられたことを特徴とするホイール式作業機械。
【請求項３】
請求項１に記載のホイール式作業機械において、
前記機械室の側面を開閉する側面カバーと、
前記側面カバーの開状態で、前記後部灯の回動動作を阻止する阻止位置と前記後部灯の回動動作を許可する許可位置に操作可能な規制部材とを備え、
前記規制部材は、前記許可位置に操作された場合に前記側面カバーの閉動作を阻止するように構成されたことを特徴とするホイール式作業機械。
【発明の詳細な説明】
【技術分野】
【０００１】
本発明は、後部灯を備えたホイール式作業機械に関する。
【背景技術】
【０００２】
作業機械の一つである油圧ショベルは、下部走行体及び上部旋回体で構成された車体と、車体に連結された作業装置とを備えている。油圧ショベルは、左右の履帯で走行するクローラ式と、前後左右の車輪で走行するホイール式がある。
【０００３】
クローラ式の油圧ショベルは、車体の前端に配置された灯火（以降、前部灯という）として、夜間の走行時や作業時に前方を照らすための前照灯を有している。
【０００４】
ホイール式の油圧ショベルは、公道を走行可能とする。そのため、前部灯として、前照灯だけでなく、自機の右折や左折を前方に示す前側の方向指示灯を有している。また、車体の後端に配置された灯火（以降、後部灯という）として、例えば、夜間に自機の存在を後方に示すとともに、自機の制動時により明るく点灯する尾灯と、自機の右折や左折を後方に示す後側の方向指示灯とを有している。さらに、自機の後退を後方に示す後退灯を有する場合もある。
【０００５】
ところで、特許文献１は、クローラ式の油圧ショベルにおいて、前照灯を着脱可能に支持する支持体と、前照灯に接続された給電ケーブルと、給電ケーブルの巻取り・巻出しを行うケーブルリールとを備えたことを開示している。この従来技術では、例えば車体の後部の機械室内の点検整備を行う場合に、前照灯を支持体から取外し、ケーブルリールから給電ケーブルを巻出しながら前照灯を機械室まで移動させる。これにより、点検整備専用の照明器具を不要とする。
【先行技術文献】
【特許文献】
【０００６】
【特許文献１】特開平９−１１９１４７号公報
【発明の概要】
【発明が解決しようとする課題】
【０００７】
ホイール式の油圧ショベルにおいても、点検整備専用の照明器具を不要とするため、特許文献１に記載の従来技術を適用することが考えられる。しかしながら、特許文献１に記載の従来技術では、車体の後部の機械室に前照灯を移動させるために、給電ケーブルが長くなる。それ故、コスト高となるばかりか、給電ケーブルの収納スペースが必要となる。また、前照灯を移動させる必要があるから、作業性も悪い。
【０００８】
本発明は、上記事柄に鑑みてなされたものであり、その目的は、安価かつ簡単に、後部灯を点検整備用として使用することができるホイール式作業機械を提供することにある。
【課題を解決するための手段】
【０００９】
上記目的を達成するために、本発明は、車輪で走行する車体と、前記車体の後部に形成された機械室と、前記車体の後端かつ前記機械室の後側に配置され、前記車体の後方に向けられた少なくとも１つの後部灯とを備えたホイール式作業機械において、前記後部灯は、前記車体の後部に、後方に向けられた状態で着脱可能に取付けられており、前記後部灯には、前記後部灯を回動可能に保持する回動機構が設けられており、前記回動機構は、前記後部灯を前記車体の後方に向けられた状態と前記機械室内に向けられた状態で保持可能である。
【発明の効果】
【００１０】
本発明によれば、後部灯を回動可能に保持する回動機構を設けることにより、安価かつ簡単に、後部灯を点検整備用として使用することができる。
【図面の簡単な説明】
【００１１】
【図１】本発明の第１の実施形態におけるホイール式油圧ショベルの構造を表す側面図である。
【図２】本発明の第１の実施形態における旋回フレーム上の主要機器の配置をカウンタウエイトと共に表す上面図である。
【図３】本発明の第１の実施形態における後部灯の配置を表すカウンタウエイトの後面図であり、尾灯が後方に向けられた状態を示す。
【図４】本発明の第１の実施形態における熱交換装置上流室内の機器の配置を表す、上部旋回体の後方から見た斜視図であり、尾灯が後方に向けられた状態を示す。
【図５】本発明の第１の実施形態におけるポンプ室内の機器の配置を表す、上部旋回体の後方から見た斜視図であり、尾灯が後方に向けられた状態を示す。
【図６】本発明の第１の実施形態における後部灯の取付構造を表すカウンタウエイトの水平断面図であり、尾灯が後方に向けられた状態と前方に向けられた状態を示す。
【図７】本発明の第１の実施形態における後部灯の取付構造を表す、カウンタウエイトの前方から見た斜視図であり、尾灯が後方に向けられた状態と前方に向けられた状態を示す。
【図８】本発明の第１の実施形態におけるポンプ室内の機器の配置を後部灯と共に表す、上部旋回体の前方から見た斜視図であり、尾灯が後方に向けられた状態を示す。
【図９】本発明の第１の実施形態におけるポンプ室内の機器の配置を後部灯と共に表す、上部旋回体の前方から見た斜視図であり、尾灯が前方に向けられた状態を示す。
【図１０】本発明の第２の実施形態におけるポンプ室内の機器の配置を後部灯及び規制バーと共に表す、上部旋回体の前方から見た斜視図であり、尾灯が後方に向けられた状態かつ規制バーが阻止位置に操作された状態を示す。
【図１１】本発明の第２の実施形態におけるポンプ室内の機器の配置を後部灯及び規制バーと共に表す、上部旋回体の前方から見た斜視図であり、尾灯が前方に向けられた状態かつ規制バーが許可位置に操作された状態を示す。
【図１２】本発明の第２の実施形態における許可位置に操作された規制バーと右側面カバーの関係を表す、上部旋回体の後方からみた斜視図である。
【発明を実施するための形態】
【００１２】
本発明の第１の実施形態を、図１〜図９を用いて説明する。
【００１３】
図１は、本実施形態におけるホイール式油圧ショベルの構造を表す側面図である。図２は、本実施形態における旋回フレーム上の主要機器の配置をカウンタウエイトと共に表す上面図である。図３は、本実施形態における後部灯の配置を表すカウンタウエイトの後面図であり、尾灯が後方に向けられた状態を示す。図４は、本実施形態における熱交換装置上流室内の機器の配置を表す、上部旋回体（但し、便宜上、運転室や左側面カバーを取外した状態）の後方から見た斜視図である。図５は、本実施形態におけるポンプ室内の機器の配置を表す、上部旋回体（但し、便宜上、右側面カバーを取外した状態）の後方から見た斜視図である。図６（ａ）及び図６（ｂ）は、本実施形態における後部灯の取付構造を表すカウンタウエイトの水平断面図であり、図６（ａ）は尾灯が後方に向けられた状態を示し、図６（ｂ）は尾灯が前方に向けられた状態を示す。図７（ａ）及び図７（ｂ）は、本実施形態における後部灯の取付構造を表す、カウンタウエイトの前方から見た斜視図であり、図７（ａ）は尾灯が後方に向けられた状態を示し、図７（ｂ）は尾灯が前方に向けられた状態を示す。図８及び図９は、本実施形態におけるポンプ室内の機器の配置を後部灯と共に表す、上部旋回体の前方から見た斜視図であり、図８は尾灯が後方に向けられた状態を示し、図９は尾灯が前方に向けられた状態を示す。
【００１４】
本実施形態のホイール式油圧ショベルは、車体１と、車体１に連結された作業装置２とを備えている。車体１は、前後左右の車輪３で走行する下部走行体４と、下部走行体４の上側に旋回可能に設けられた上部旋回体５とで構成されている。下部走行体４は、図示しない走行モータによって駆動するようになっている。上部旋回体５は、図示しない旋回モータによって駆動するようになっている。
【００１５】
作業装置２は、上部旋回体５の前部（詳細には、後述する旋回フレーム１２の前部）に鉛直方向に回動可能に連結されたブーム６と、ブーム６に鉛直方向に回動可能に連結されたアーム７と、アーム７に鉛直方向に回動可能に連結されたバケット８とを備えている。ブーム６、アーム７、及びバケット８は、ブームシリンダ９、アームシリンダ１０、及びバケットシリンダ１１によってそれぞれ駆動するようになっている。
【００１６】
上部旋回体５は、基礎構造体をなす旋回フレーム１２と、旋回フレーム１２の前部左側に設けられたキャブタイプの運転室１３と、旋回フレーム１２の前部右側に設けられた燃料タンク（図示せず）及び作動油タンク（図示せず）と、旋回フレーム１２の後端に設けられたカウンタウエイト１４と、旋回フレーム１２の後部（言い換えれば、運転室１３、燃料タンク、及び作動油タンクとカウンタウエイト１４の間）に形成された機械室１５と、左側面カバー１６（図１参照）及び右側面カバー１７（後述の図１２参照）を含む外装カバーとを備えている。
【００１７】
上部旋回体５の前端には、前部灯として、夜間の走行時や作業時に前方を照らすための前照灯（図示せず）と、自機の右折や左折を前方に示す前側の方向指示灯（図示せず）が設けられている。上部旋回体５の後端（すなわち、カウンタウエイト１４）には、後部灯として、夜間に自機の存在を後方に示すとともに、自機の制動時により明るく点灯する尾灯１８Ａ，１８Ｂと、自機の右折や左折を後方に示す後側の方向指示灯１９Ａ，１９Ｂが設けられている。
【００１８】
運転室１３には、図示しないものの、運転席、前後進切替レバー、ステアリングハンドル、アクセルペダル、ブレーキペダル、及び作業用の操作レバー等が設けられている。さらに、図示しないものの、前側の方向指示灯及び後側の方向指示灯１９Ａ，１９Ｂを点灯させる方向指示操作ロッドと、前照灯及び尾灯１８Ａ，１８Ｂを点灯させるライトスイッチ等が設けられている。
【００１９】
機械室１５は、上部旋回体５の幅方向の中央に位置するエンジン室２０と、上部旋回体５の幅方向の一方側（本実施形態では右側）に位置するポンプ室２１と、上部旋回体５の幅方向の他方側（本実施形態では左側）に位置する熱交換装置上流室２２とで構成されている。エンジン室２０とポンプ室２１の間には、図示しない隔壁が設けられている。エンジン室２０と熱交換装置上流室２２の間には、後述する熱交換装置３１が設けられている。
【００２０】
エンジン室２０には、エンジン２３が横置き状態（言い換えれば、上部旋回体５の幅方向に延在する状態）で収容されている。エンジン２３の吸気系統にはエアクリーナ２４（図４参照）が設けられ、エンジン２３の排気系統には排気ガス処理装置２５（図２参照）が設けられている。
【００２１】
エンジン２３の右側には油圧ポンプ２６が接続されている。油圧ポンプ２６は、エンジン２３によって駆動され、油圧アクチュエータ（詳細には、上述した走行モータ、旋回モータ、ブームシリンダ９、アームシリンダ１０、及びバケットシリンダ１１等）を駆動するための圧油を生成するようになっている。図５、図８、及び図９で示すように、ポンプ室２１には、油圧ポンプ２６及びフィルタ類（詳細には、燃料フィルタ２７、エンジンオイルフィルタ２８、及び作動油フィルタ２９等）が収容されている。右側面カバー１７は、ヒンジを介し左右方向に回動可能に設けられており、ポンプ室２１の右側面を開閉するようになっている。
【００２２】
エンジン２３の左側には冷却ファン３０が接続され、冷却ファン３０の左側には熱交換装置３１（詳細には、エンジン冷却水を冷却するラジエータや、作動油を冷却するオイルクーラ等）が配置されている。冷却ファン３０は、エンジン２３によって駆動され、熱交換装置３１及びエンジン２３等を冷却するための冷却風を生起するようになっている。熱交換装置上流室２２は、熱交換装置３１の冷却風流れ方向の上流側（本実施形態では左側）に位置している。図４で示すように、熱交換装置上流室２２には、エアクリーナ２４及びバッテリ３２等が収容されている。左側面カバー１６は、ヒンジを介し左右方向に回動可能に設けられており、熱交換装置上流室２２の左側面を開閉するようになっている。
【００２３】
カウンタウエイト１４の右側部分（言い換えれば、ポンプ室２１の後側に位置する部分）には、前後方向に貫通する貫通穴３３Ａが形成されており、この貫通穴３３Ａに尾灯１８Ａ及び方向指示灯１９Ａが取付けられている。詳しく説明すると、図６（ａ）、図６（ｂ）、図７（ａ）、及び図７（ｂ）で示すように、貫通穴３３Ａには内側ブラケット３４が溶接又はネジ止めで固定されている。内側ブラケット３４は、左右方向に延在する横板３５と、横板３５の外側端部から前方向に延在する縦板３６とで構成されており、横板３５の取付穴に方向指示灯１９Ａが取付けられている。また、内側ブラケット３４の縦板３６の前側端部にヒンジ３７（回動機構）を介し外側ブラケット（平板）３８が回動可能に連結されており、外側ブラケット３８の取付穴に尾灯１８Ａが取付けられている。したがって、ヒンジ３７は、尾灯１８Ａを前後方向に回動可能に保持しており、尾灯１８Ａを後方に向けられた状態と前方に向けられた状態（すなわち、ポンプ室２１内に向けられた状態）で保持可能である。なお、尾灯１８Ａが後方に向けられた状態で外側ブラケット３８を固定する固定具（図示せず）が着脱可能に設けられている。また、本実施形態では、尾灯１８Ａが後方又は前方に向けられた状態であれば、尾灯１８Ａがカウンタウエイト１４の前面から突出しないもの、尾灯１８Ａの回動中は、尾灯１８Ａがカウンタウエイト１４の前面から突出するようになっている。
【００２４】
そして、図５、図６（ａ）、図７（ａ）、及び図８で示すように、運転者は、車体１の走行時に尾灯１８Ａが後方に向けられた状態となるように、尾灯１８Ａを回動させる。これにより、車体１の走行時に尾灯１８Ａを使用することができる。また、図６（ｂ）、図７（ｂ）、及び図９で示すように、運転者は、ポンプ室２１内の点検整備時に尾灯１８Ａが前方に向けられた状態となるように、尾灯１８Ａを回動させる。これにより、ポンプ室２１内の点検整備時に尾灯１８Ａを使用することができる。ポンプ室２１内の点検整備としては、油圧ポンプ２６の点検、フィルタ類の点検や交換、室内清掃等がある。
【００２５】
カウンタウエイト１４の左側部分（言い換えれば、熱交換装置上流室２２の後側に位置する部分）には、前後方向に貫通する貫通穴３３Ｂが形成されており、この貫通穴３３Ｂに尾灯１８Ｂ及び方向指示灯１９Ｂが取付けられている。図示を省略するものの、上記と同様、貫通穴３３Ｂに内側ブラケット３４が固定され、内側ブラケット３４に方向指示灯１９Ｂが取付けられている。また、この内側ブラケット３４にヒンジ３７を介して回動可能に外側ブラケット３８が連結され、外側ブラケット３８に尾灯１８Ｂが取付けられている。したがって、尾灯１８Ｂを前後方向に回動可能に保持しており、尾灯１８Ｂを後方に向けられた状態と前方に向けられた状態（すなわち、熱交換室上流室２２内に向けられた状態）で保持可能である。なお、尾灯１８Ｂが後方に向けられた状態で外側ブラケット３８を固定する固定具が着脱可能に設けられている。また、本実施形態では、尾灯１８Ｂが後方又は前方に向けられた状態であれば、尾灯１８Ｂがカウンタウエイト１４の前面から突出しないもの、尾灯１８Ｂの回動中は、尾灯１８Ｂがカウンタウエイト１４の前面から突出するようになっている。
【００２６】
そして、図４で示すように、運転者は、車体１の走行時に尾灯１８Ｂが後方に向けられた状態となるように、尾灯１８Ｂを回動させる。これにより、車体１の走行時に尾灯１８Ｂを使用することができる。また、図示しないものの、運転者は、熱交換装置上流室２２内の点検整備時に尾灯１８Ｂが前方に向けられた状態となるように、尾灯１８Ｂを回動させる。これにより、熱交換装置上流室２２内の点検整備時に尾灯１８Ｂを使用することができる。熱交換装置上流室２２内の点検整備としては、例えば、熱交換装置３１の清掃、エアクリーナ２４の清掃や交換、バッテリ３２の点検や交換等がある。
【００２７】
以上のように本実施形態においては、尾灯１８Ａ，１８Ｂをそれぞれ回動可能に保持するヒンジ３７を設けることにより、尾灯１８Ａ，１８Ｂを点検整備用として使用することができる。したがって、特許文献１に記載のように前照灯を点検整備用として使用する場合とは異なり、安価かつ簡単に、尾灯１８Ａ，１８Ｂを点検整備用として使用することができる。
【００２８】
本発明の第２の実施形態、図１０〜図１２を用いて説明する。なお、本実施形態において、第１の実施形態と同等の部分は同一の符号を付し、適宜、説明を省略する。
【００２９】
図１０及び図１１は、本実施形態におけるポンプ室内の機器の配置を後部灯及び規制バーと共に表す、上部旋回体（但し、便宜上、右側面カバーを取外した状態）の前方から見た斜視図であり、図１０は尾灯が後方に向けられた状態かつ規制バーが阻止位置に操作された状態を示し、図１１は尾灯が前方に向けられた状態かつ規制バーが許可位置に操作された状態を示す。図１２は、本実施形態における許可位置に操作された規制バーと右側面カバーの関係を表す、上部旋回体の後方からみた斜視図である。
【００３０】
本実施形態では、カウンタウエイト１４の前面の右側部分には、回転軸３９を中心として左右方向に回動可能な規制バー４０（規制部材）が設けられている。また、規制バー４０の阻止位置に回動された状態（図１０参照）を支持するストッパ（図示せず）と、規制バー４０の許可位置に回動された状態（図１１参照）を支持するストッパ４１が設けられている。これにより、右側面カバー１７の開状態で、規制バー４０を阻止位置と許可位置に操作可能としている。
【００３１】
この規制バー４０は、阻止位置に操作された場合、カウンタウエイト１４の貫通穴３３Ａの前側開口を遮るので尾灯１８Ａの回動動作を阻止するとともに、旋回フレーム１２から外側に突出しないので右側面カバー１７の開閉動作を許可する。一方、許可位置に操作された場合、カウンタウエイト１４の貫通穴３３Ａの前側開口を遮らないので尾灯１８Ａの回動動作を許可するとともに、旋回フレーム１２から外側に突出するので右側面カバー１７の閉動作を阻止する。これにより、ポンプ室２１内の点検整備の終了後、尾灯１８Ａの戻し忘れを防止することができる。
【００３２】
図示を省略するものの、上記と同様、カウンタウエイト１４の前面の左側部分には、回転軸３９を中心として左右方向に回動可能な規制バー４０が設けられている。また、規制バー４０の阻止位置に回動された状態を支持するストッパと、規制バー４０の許可位置に回動された状態を支持するストッパ４１が設けられている。これにより、左側面カバー１６の開状態で、規制バー４０を阻止位置と許可位置に操作可能としている。
【００３３】
この規制バー４０は、阻止位置に操作された場合、カウンタウエイト１４の貫通穴３３Ｂの前側開口を遮るので尾灯１８Ｂの回動動作を阻止するとともに、旋回フレーム１２から外側に突出しないので左側面カバー１６の開閉動作を許可する。一方、許可位置に操作された場合、カウンタウエイト１４の貫通穴３３Ｂの前側開口を遮らないので尾灯１８Ｂの回動動作を許可するとともに、旋回フレーム１２から外側に突出するので左側面カバー１６の閉動作を阻止する。これにより、熱交換装置上流室２２内の点検整備の終了後、尾灯１８Ｂの戻し忘れを防止することができる。
【００３４】
以上のように構成された本実施形態においても、第１の実施形態と同様、安価かつ簡単に、尾灯１８Ａ，１８Ｂを点検整備用として使用することができる。また、本実施形態では、規制バー４０を設けることにより、尾灯１８Ａ，１８Ｂの戻し忘れを防止することができる。
【００３５】
なお、第１及び第２の実施形態においては、尾灯１８Ａ，１８Ｂをそれぞれ回動可能に保持する回動機構としてヒンジ３７を設けた場合を例にとって説明したが、これに限られず、本発明の趣旨及び技術思想を逸脱しない範囲内で変形が可能である。すなわち、ヒンジ３７以外の他の回動機構を設けてもよい。また、尾灯１８Ａを回動可能に保持する回動機構と尾灯１８Ｂを回動可能に保持する回動機構のうちの一方のみを設けてもよい。
【００３６】
また、第１及び第２の実施形態においては、後部灯を２種類の灯火（詳細には、尾灯及び方向指示灯）で構成し、尾灯のみを回動可能に保持する回動機構を設けた場合を例にとって説明したが、これに限られず、本発明の趣旨及び技術思想を逸脱しない範囲内で変形が可能である。すなわち、方向指示灯のみを回動可能に保持する回動機構を設けてもよいし、尾灯及び方向指示灯の両方を回動可能に保持する回動機構を設けてもよい。また、後部灯を１種類又は３種類以上の灯火で構成してもよく、その場合に本発明を適用してもよい。さらに、点検整備時に灯火を点灯させるためのスイッチを追加してもよい。
【００３７】
なお、以上においては、本発明の適用対象としてホイール式油圧ショベルを例にとって説明したが、これに限られず、他のホイール式作業機械（詳細には、例えばホイールローダ等）に適用してもよい。
【符号の説明】
【００３８】
１                車体
２                作業装置
３                車輪
１５              機械室
１６              左側面カバー
１７              右側面カバー
１８Ａ，１８Ｂ    尾灯（後部灯）
１９Ａ，１９Ｂ    後側の方向指示灯（後部灯）
２０              エンジン室
２１              ポンプ室
２２              熱交換装置上流室
２３              エンジン
２６              油圧ポンプ
３１              熱交換装置
３７              ヒンジ（回動機構）
４０              規制バー（規制部材）
【図１】
2018172882.tif 000003
【図２】
2018172882.tif 000004
【図３】
2018172882.tif 000005
【図４】
2018172882.tif 000006
【図５】
2018172882.tif 000007
【図６】
2018172882.tif 000008
【図７】
2018172882.tif 000009
【図８】
2018172882.tif 000010
【図９】
2018172882.tif 000011
【図１０】
2018172882.tif 000012
【図１１】
2018172882.tif 000013
【図１２】
2018172882.tif 000014